(57)【要約】【課題】床材とドレイン材の繋ぎ部分が平坦であり歩行時の安全性に優れ、かつ十分な排水性を有するドレイン床構造を提供する。【解決手段】上記課題を解決するための手段は、下地上に長尺状の排水用ドレイン材が敷設され、前記排水用ドレイン材に隣接して前記下地上に厚み調整材が敷設され、前記厚み調整材の上に床材が敷設されており、前記排水用ドレイン材の上部端面と前記床材の上面とが略面一であることを特徴とするドレイン床構造としたことである。【選択図】  図２
2015101926.tif 000002
【特許請求の範囲】
【請求項１】
下地上に長尺状の排水用ドレイン材が敷設され、
前記排水用ドレイン材に隣接して前記下地上に厚み調整材が敷設され、
前記厚み調整材の上に床材が敷設されており、
前記排水用ドレイン材の上部端面と前記床材の上面とが略面一であることを特徴とするドレイン床構造。
【請求項２】
前記排水用ドレイン材が本体部と前記本体部の側端より延設される重ね代部とからなり、前記重ね代部の上面に前記床材の端部が重ねて敷設されていることを特徴とする請求項１に記載のドレイン床構造。
【請求項３】
前記重ね代部の上面と前記厚み調整材の上面とが略面一であることを特徴とする請求項１または２に記載のドレイン床構造。
【請求項４】
前記排水用ドレイン材の上部が前記床材で構成されていることを特徴とする請求項１〜３に記載のドレイン床構造。
【発明の詳細な説明】
【技術分野】
【０００１】
本発明はマンションなどの集合住宅の屋外床におけるドレイン床構造に関する。
【背景技術】
【０００２】
マンションやアパート等の集合住宅の開放廊下やベランダなどの屋外床には、通常冷暖房機の室外機が設置されており、室内外機から発生するドレイン水はドレインホースを通り屋外へ排水される。この排水が開放廊下やベランダの床面を濡らして歩行者が転倒しないよう、ドレインホースからのドレイン水を受けて排水するためのドレイン材が設置される。
特許文献１には、長手方向に延びた排水路を有する本体部と、排水路を覆うための上蓋部からなる管状のドレイン排水溝部材が開示されている。
【先行技術文献】
【特許文献】
【０００３】
【特許文献１】特開２００８−０５７１４３号公報
【発明の概要】
【発明が解決しようとする課題】
【０００４】
しかしながら、特許文献１の管状ドレイン排水溝部材を施工した床構造では、管状ドレイン排水溝部材の上部が床面から突出しており、床材とドレイン材との繋ぎ部分で高低差が生じてしまい、歩行者がその高低差に躓く危険性がある。
【０００５】
本発明は上記問題を解決するものであり、床材とドレイン材の繋ぎ部分が平坦であり歩行時の安全性に優れ、かつ十分な排水性を有するドレイン床構造を提供する。
【課題を解決するための手段】
【０００６】
本発明は上記の課題を解決するものであり、下地上に長尺状の排水用ドレイン材が敷設され、前記排水用ドレイン材に隣接して前記下地上に厚み調整材が敷設され、前記厚み調整材の上に床材が敷設されており、前記排水用ドレイン材の上部端面と前記床材の上面とが略面一であることを特徴とするドレイン床構造である。
また、前記排水用ドレイン材が本体部と前記本体部の側端より延設される重ね代部とからなり、前記重ね代部の上面に前記床材の端部が重ねて敷設されているドレイン床構造である。
またさらに、前記重ね代部の上面と前記厚み調整材の上面とが略面一であるドレイン床構造であり、さらには排水用ドレイン材の上部が前記床材で構成されているドレイン床構造である。
【発明の効果】
【０００７】
上記のような構成としたことにより床材上面と排水用ドレイン材の上部端面との高さがほぼ同じ高さになるため床材と排水用ドレイン材の繋ぎ部分に高低差は生じず、その上を歩行しても躓く危険性がない。また厚み調整材を床材の下面に積層することで床材上面と排水用ドレイン材の上部端面との高さを略面一にしているため、ドレイン材の排水性は十分に確保されている。
【図面の簡単な説明】
【０００８】
【図１】本発明のドレイン床構造の一態様を示す破断斜視図である。
【図２】本発明のドレイン床構造の一態様を示す断面図である。
【図３】本発明のドレイン床構造の他の態様を示す断面図である。
【図４】本発明のドレイン床構造の他の態様を示す断面図である。
【図５】本発明のドレイン床構造の他の態様を示す断面図である。
【図６】図２の床構造に用いた排水用ドレイン材の拡大断面図である。
【図７】図３の床構造に用いた排水用ドレイン材の拡大断面図である。
【図８】図４の床構造に用いた排水用ドレイン材の拡大断面図である。
【図９】図５の床構造に用いた排水用ドレイン材の拡大断面図である。
【発明を実施するための形態】
【０００９】
以下、本発明について図面に基づき詳細を説明する。
図１は本発明のドレイン床構造の一例を示した破断斜視図である。例えばマンションの開放廊下などを横断するようにして下地１上に長尺の排水用ドレイン材２が敷設されており、その両側に隣接するようにして床材４が敷設施工されている。床材４の下には厚み調整材３が敷設されており、下地１から排水用ドレイン材２の上部端面までの高さと床材４の上面までの高さはほぼ等しく、排水用ドレイン材２の上部端面と床材４の上面は略面一となっている。室外機から排出された水は室外機のドレインホースを通って排水用ドレイン材２内部の排水路２−１を通過し、廊下の反対側に形成されている排水溝へと導水される。
【００１０】
ここで本発明の床構造を構成する各部材について説明する。
【００１１】
＜下地＞
下地１は通常の施工で使用される下地を使用する。一般的に下地としては、モルタル、コンクリート、金属、テラゾー、セルフレベリング材、床材、木質などが挙げられる。この中でも、表面強度、平滑度、乾燥度が得られるモルタル、コンクリート下地が好ましい。
【００１２】
＜排水用ドレイン材＞
排水用ドレイン材２は長尺状であり、長尺方向に形成された排水路２−１を有するものである。具体的には長尺方向に連続した溝部が形成された板状体または長尺方向に連続した中空部を有する板状体である。
【００１３】
図６〜９は排水用ドレイン材２の幅方向の断面図の一例を示すものである。
排水用ドレイン材２の幅Ｗは通常４０ｍｍ〜８０ｍｍ程度であり、高さＨは５ｍｍ〜８ｍｍ程度であり、長さは施工場所の寸法によるが１ｍ〜２ｍ程度である。排水路２−１の幅ｗは２５ｍｍ〜５０ｍｍ程度、高さｈは３ｍｍ〜６ｍｍ程度であることが、十分な排水性を得るために好ましい。
【００１４】
排水用ドレイン材２の形状は長尺状で長尺方向に形成された排水路２−１を有するものであれば特に限定されないが、例えば図６，７のように断面形状が、中央部がやや高く上部二隅が面取りされた略矩形形状であり、内部に管状の排水路２−１を有するものであったり、図８，９のようにドレイン材の上面が開放された溝状の排水路２−１を有するものであってもよい。また図７，８のようにドレイン材の本体部２−２側端の両側（または片側）に本体部２−２と同じ厚みもしくは本体部２−２より厚みの薄い重ね代部２−３が延設されていてもよい。またドレイン材の本体部２−２は上部が開閉可能な蓋部を有するものであってもよい。
【００１５】
排水用ドレイン材２の材質は合成樹脂やゴムなどが適しており、中でもある程度の柔軟性を有し施工性や耐久性に優れる熱可塑性樹脂やエラストマー等が好適である。例えばポリ塩化ビニル、エチレン−塩化ビニル共重合体、プロピレン−塩化ビニル共重合体、塩化ビニル−アクリル系樹脂共重合体、塩化ビニル−ウレタン共重合体、塩化ビニル−塩化ビニリデン共重合体、塩化ビニル−酢酸ビニル共重合体などが挙げられ、これらを単独でも２種以上組み合わせて使用してもよい。これら塩化ビニル系樹脂の中でも加工性、価格の点でポリ塩化ビニルが好ましい。
【００１６】
＜床材＞
床材４は通常のものが使用でき特に限定はされないが、一般的には開放廊下などでは合成樹脂製やゴム製の床シートが使用される。具体的にはポリ塩化ビニル、エチレン−塩化ビニル共重合体、プロピレン−塩化ビニル共重合体、塩化ビニル−アクリル系樹脂共重合体、塩化ビニル−ウレタン共重合体、塩化ビニル−塩化ビニリデン共重合体、塩化ビニル−酢酸ビニル共重合体などの材質からなる床シートであり、中でも長尺シートとしてよく加工され、表面エンボス加工による高い防滑性や高い意匠性、防水性を有するポリ塩化ビニルが好ましい。
【００１７】
床材４の厚みは通常２．０ｍｍ〜３．０ｍｍ程度のものであり、排水用ドレイン材２の厚みに対しては薄いものである。
【００１８】
＜厚み調整材＞
厚み調整材３は床材４の下に敷設し、排水用ドレイン材２の上部端面と床材４の上面とが略面一となるように高さ調整をするため敷設される。厚み調整材３としては一般的な長尺ポリ塩化ビニル床材やアンダーレイシートのようなものが使用できる。中でも熱可塑性樹脂を機械発泡もしくは化学発泡させたアンダーレイシートはクッション性があり転倒時の衝撃吸収性に優れるため、高齢者向けのマンションなどの開放廊下などに好適に利用できる。
【００１９】
厚み調整材３の厚みは排水用ドレイン材２の厚みと床材４の厚みとの差により決定する。通常は２．０ｍｍ〜５．０ｍｍ程度のものが使用される。厚み調整材３はあらかじめ床材４の裏面に貼着されていてもよく、単独で下地１上に敷設されてもよい。
【００２０】
＜ドレイン床構造＞
続いて本発明のドレイン床構造について図２〜５をもとに説明する。
本発明のドレイン床構造は下地１上に前述の長尺状の排水用ドレイン材２が敷設され、この排水用ドレイン材２に隣接して下地１上に前述の厚み調整材３が敷設され、この厚み調整材３の上に前述の床材４が敷設されたものであり、その特徴としては排水用ドレイン材２の上部端面と床材４の上面とが略面一であり、排水用ドレイン材２と床材４との繋ぎ部分に高低差がなく略平坦であることである。
【００２１】
排水用ドレイン材２は下地１上に敷設され、接着剤や両面テープ等で固定されている。その排水用ドレイン材２の端面に同接するようにして下地１上に厚み調整材３が敷設され、接着剤や両面テープ等で固定されている。排水用ドレイン材２と厚み調整材３の端部間は止水の為にシーラー等で接合することが好ましい。
【００２２】
床材４はその上面が排水用ドレイン材２の上部端面と略面一となるように敷設されていればよい。
図２の床構造では床材４の端縁部と厚み調整材３の端縁部とが重なるように厚み調整材３の上に床材４が敷設されており、図３及び図４の床構造では床材４の端部が排水用ドレイン材２の重ね代部２−３に重なるようにして床材４が敷設されている。床材４の裏面と厚み調整材３または排水用ドレイン材２の重ね代部２−３の上面とは接着剤や両面テープ等で固定されている。床材４の端部が排水用ドレイン材２の重ね代部２−３に重なるようにして床材４が敷設固定されていると、接合部の水密性が向上する。さらに床材４の端部と排水用ドレイン材２との目地部にはシーリング材やシーム液などの目地材５が充填されていてもよく、これにより接合端部からの床材４の剥離が防止でき、また接合部の水密性の向上効果も得られる。
また図５の床構造のように上面が開口した排水用ドレイン材２の上を跨ぐように床材４が敷設されていてもよく、この場合排水用ドレイン材２の上部、即ち上を跨ぐ床材４の上部端面がそれ以外の部分の床材４上面と略面一となり、高低差がないように敷設されていればよい。このような構造とすることで意匠的に均一な美しい仕上がりのドレイン床構造となる。
【実施例】
【００２３】
本発明の実施例について、図２〜５をもとに説明する。
【００２４】
図２の床構造について説明する。コンクリートの下地１ａの上にポリ塩化ビニルからなる幅Ｗ４５ｍｍ、高さＨ６ｍｍで幅ｗ３５ｍｍ、高さｈ４ｍｍの環状の排水路を有する排水用ドレイン材２ａがウレタン樹脂系接着剤（図示せず）で固定され、その両側には厚み調整材３ａである厚み３．０ｍｍのアンダーレイシートが裏面に貼着された厚み３．０ｍｍのポリ塩化ビニル樹脂製床材４ａが、排水用ドレイン材２ａの端部に当接してウレタン樹脂系接着剤（図示せず）で下地１ａの上に固定されている。排水用ドレイン材２ａと床材４ａの端部間の隙間にはウレタン系シーラーを塗布してなる目地材５ａが充填されている。排水用ドレイン材２ａの上部端面と床材４ａの上面とが略面一となり排水用ドレイン材２ａと床材４ａの端部間の隙間には目地材５ａが充填されているため、排水用ドレイン材２ａと床材４ａとの繋ぎ部分に高低差がなく水密性にも優れた床構造である。
【００２５】
図３の床構造について説明する。コンクリートの下地１ａの上にポリ塩化ビニルからなる幅Ｗ６０ｍｍ、高さＨ６ｍｍで幅ｗ３５ｍｍ、高さｈ４ｍｍの環状の排水路を有する排水用ドレイン材２ｂがウレタン樹脂系接着剤（図示せず）で固定され、その両側には厚み調整材３ｂである厚み３．０ｍｍのアンダーレイシートが排水用ドレイン材２ｂの端部に当接してウレタン樹脂系接着剤（図示せず）で下地１ａの上に固定されている。厚み調整材３ｂおよび排水用ドレイン材２ｂの重ね代部２−３の上に厚み３．０ｍｍのポリ塩化ビニル樹脂製床材４ｂがウレタン樹脂系接着剤（図示せず）で接着されている。排水用ドレイン材２ｂと床材４ｂの端部間の隙間にはウレタン系シーラーを塗布してなる目地材５ａが充填されている。排水用ドレイン材２ｂの上部端面と床材４ｂの上面とが略面一となり排水用ドレイン材２ｂと床材４ｂの端部間の隙間には目地材５ａが充填されているため、排水用ドレイン材２ｂと床材４ｂとの繋ぎ部分に高低差がなく水密性にも優れた床構造である。
【００２６】
図４の床構造について説明する。コンクリートの下地１ａの上にポリ塩化ビニルからなる幅Ｗ６０ｍｍ、高さＨ６ｍｍで幅ｗ４０ｍｍ、高さｈ４ｍｍかつ上面が３５ｍｍ開放している溝状の排水路を有する排水用ドレイン材２ｃがウレタン樹脂系接着剤（図示せず）で固定され、その両側には厚み調整材３ｂである厚み３．０ｍｍのアンダーレイシートが排水用ドレイン材２ｃの端部に当接してウレタン樹脂系接着剤で（図示せず）で下地１ａの上に固定されている。厚み調整材３ｂおよび排水用ドレイン材２ｃの重ね代部２−３の上に厚み３．０ｍｍのポリ塩化ビニル樹脂製床材４ｂがウレタン樹脂系接着剤（図示せず）で接着されている。排水用ドレイン材２ｃと床材４ｂの端部間の隙間にはウレタン系シーラーを塗布してなる目地材５ａが充填されている。排水用ドレイン材２ｃの開放口端部と床材４ｂの上面とが略面一となり排水用ドレイン材２ｃと床材４ｂの端部間の隙間には目地材５ａが充填されているため、排水用ドレイン材２ｃと床材４ｂとの繋ぎ部分に高低差がなく水密性にも優れた床構造である。
【００２７】
図５の床構造について説明する。コンクリートの下地１ａの上にポリ塩化ビニルからなる幅Ｗ６０ｍｍ、高さＨ５ｍｍで幅（ｗ）５０ｍｍ、高さ（ｈ）４ｍｍかつ上面が４５ｍｍ開放している溝状の排水路を有する排水用ドレイン材２ｄがウレタン樹脂系接着剤（図示せず）で固定され、その両側には厚み調整材３ｃである厚み５．０ｍｍのアンダーレイシートが排水用ドレイン材２ｄの端部に当接してウレタン樹脂系接着剤で（図示せず）で下地１ａの上に固定されている。厚み調整材３ｃと排水用ドレイン材２ｄの上に厚み３．０ｍｍのポリ塩化ビニル樹脂製床材４ｂがウレタン樹脂系接着剤（図示せず）で固定されている。厚み調整材３ｃと排水用ドレイン材２ｄの開放口端部とが略面一となり、その上に床材４ｂを施工している為、開放口を有する排水用ドレイン材２ｄであっても高低差がなく略平坦な床面となり、水密性にも優れた床構造である。
【産業上の利用可能性】
【００２８】
本発明のドレイン床構造は、床材とドレイン材の繋ぎ部分に高低差がなく略平坦な床面となり、歩行時の安全性に優れ、かつドレイン材の排水性は十分に確保されているため集合住宅の開放廊下などの外部床構造に好適である。またクッション性の高い厚み調整材を使用した床構造においては転倒時の衝撃吸収性に優れるため、高齢者向けのマンションなどの開放廊下などに好適に利用できる。
【符号の説明】
【００２９】
１  下地  
２  排水用ドレイン材
２−１  排水路
２−２  本体部
２−３  重ね代部
３  厚み調整材
４  床材
５  目地材
【図１】
2015101926.tif 000003
【図２】
2015101926.tif 000004
【図３】
2015101926.tif 000005
【図４】
2015101926.tif 000006
【図５】
2015101926.tif 000007
【図６】
2015101926.tif 000008
【図７】
2015101926.tif 000009
【図８】
2015101926.tif 000010
【図９】
2015101926.tif 000011